(57)【要約】【課題】  一対の接続端子の各先端部から各中継端子が外れるのを確実に防止することができ、ヒューズを簡単に着脱することができる端子保持構造を提供する。【解決手段】  一対の接続端子１２，１２′の各先端部１２ｂに中継端子１３の湾曲形成された両側部１３ｂ，１３ｂをそれぞれ挿入して挟持し、これら一対の接続端子１２，１２′の各先端部１２ｂと各中継端子１３との間にヒューズ２０の一対のヒューズ端子２１，２１を圧入して、該一対の接続端子１２，１２′の各先端部１２ｂと該一対のヒューズ端子２１，２１を電気的に接続するようにした端子保持構造において、一対の接続端子１２，１２′の各先端部１２ｂに矩形の係合孔１２ｃを形成すると共に、中継端子１３の反ヒューズ端子側端部に該係合孔１２ｃに係止される係止爪１３ｃを折り曲げ形成した。【選択図】      図４
2006210012.tif 000002
【特許請求の範囲】
【請求項１】
一対の接続端子の各先端部に中継端子の湾曲形成された両側部をそれぞれ挿入して挟持し、これら一対の接続端子の各先端部と各中継端子との間にヒューズの一対のヒューズ端子を圧入して、該一対の接続端子の各先端部と該一対のヒューズ端子を電気的に接続するようにした端子保持構造において、
前記一対の接続端子の各先端部と前記各中継端子のうちのいずれか一方に係合孔を、他方に該係合孔に係止される係止爪を、それぞれ設けたことを特徴とする端子保持構造。
【請求項２】
請求項１記載の端子保持構造であって、
前記一対の接続端子の各先端部に矩形の係合孔を形成すると共に、前記各中継端子の反ヒューズ端子側端部に該係合孔に係止される係止爪を折り曲げ形成したことを特徴とする端子保持構造。
【発明の詳細な説明】
【技術分野】
【０００１】
本発明は、一対の接続端子の各先端部とヒューズの一対のヒューズ端子とを中継端子を介して電気的に接続する端子保持構造に関する。
【背景技術】
【０００２】
この種の端子保持構造を適用したヒューズ保持装置として、図８及び図９に示すものがある（例えば、特許文献１参照。）。
【０００３】
このヒューズ保持装置１は、図８及び図９に示すように、ヒューズ保持枠２と、このヒューズ保持枠２の収納孔２ａの係止部２ｂに係止爪３ｃが係止される一対の中継端子３，３と、ヒューズ保持枠２の収納孔２ａの下側より先端部４ａ，５ａが挿入されると共に、該先端部４ａ，５ａが各中継端子３，３の端子本体３ａ，３ａの両側に湾曲形成された両側部３ｂ，３ｂ内に挿入されて挾持される一対の接続端子４，５とを備えている。
【０００４】
そして、ヒューズ保持枠２の収納孔２ａ内に上側よりヒューズ７を装着すると、該ヒューズ７の一対のヒューズ端子７ａ，７ａが接続端子４の先端部４ａと中継端子３の端子本体３ａとの間及び接続端子５の先端部５ａと中継端子３の端子本体３ａとの間にそれぞれ圧入され、両者は電気的に接続されるようになっている。
【０００５】
【特許文献１】実公昭６３−１７１５５号公報
【発明の開示】
【発明が解決しようとする課題】
【０００６】
しかしながら、前記従来の端子保持構造を適用したヒューズ保持装置１では、各中継端子３，３はヒューズ保持枠２の収納孔２ａの係止部２ｂに係止されているが、一対の接続端子４，５の各先端部４ａ，５ａには係止される構造になっていないため、ヒューズ７の一対のヒューズ端子７ａ，７ａを抜き差しする着脱の際に一対の接続端子４，５の各先端部４ａ，５ａから各中継端子３，３が外れ易く、ヒューズ７の着脱作業が煩雑であった。
【０００７】
そこで、本発明は、前記した課題を解決すべくなされたものであり、一対の接続端子の各先端部から各中継端子が外れるのを確実に防止することができ、ヒューズを簡単に着脱することができる端子保持構造を提供することを目的とする。
【課題を解決するための手段】
【０００８】
請求項１の発明は、一対の接続端子の各先端部に中継端子の湾曲形成された両側部をそれぞれ挿入して挟持し、これら一対の接続端子の各先端部と各中継端子との間にヒューズの一対のヒューズ端子を圧入して、該一対の接続端子の各先端部と該一対のヒューズ端子を電気的に接続するようにした端子保持構造において、前記一対の接続端子の各先端部と前記各中継端子のうちのいずれか一方に係合孔を、他方に該係合孔に係止される係止爪を、それぞれ設けたことを特徴とする。
【０００９】
請求項２の発明は、請求項１記載の端子保持構造であって、前記一対の接続端子の各先端部に矩形の係合孔を形成すると共に、前記各中継端子の反ヒューズ端子側端部に該係合孔に係止される係止爪を折り曲げ形成したことを特徴とする。
【発明の効果】
【００１０】
以上説明したように、請求項１の発明によれば、一対の接続端子の各先端部と各中継端子のうちのいずれか一方に係合孔を、他方に該係合孔に係止される係止爪を、それぞれ設けたことにより、一対の接続端子の各先端部から各中継端子が外れるのを係合孔に係止される係止爪により確実に防止することができ、ヒューズの一対のヒューズ端子を一対の接続端子の各先端部と各中継端子との間に簡単に着脱することができる。
【００１１】
請求項２の発明によれば、一対の接続端子の各先端部に矩形の係合孔を形成すると共に、各中継端子の反ヒューズ端子側端部に該係合孔に係止される係止爪を折り曲げ形成したことにより、簡単な構造により一対の接続端子の各先端部に各中継端子を確実に係止して両者の外れを確実に防止することができる。
【発明を実施するための最良の形態】
【００１２】
以下、本発明の一実施形態を図面に基づいて説明する。
【００１３】
図１は本発明の一実施形態の端子保持構造を適用したヒューズ保持装置の断面図、図２は図１中Ｘ−Ｘ線に沿う断面図、図３は同端子保持構造の正面図、図４は同端子保持構造の斜視図、図５は同端子保持構造の側面図、図６は同端子保持構造に用いられる一方の接続端子の斜視図、図７は同端子保持構造に用いられる中継端子の斜視図である。
【００１４】
図１，図２に示すように、ヒューズ保持装置１０は、ヒューズ収納室１１ａ及び一対の端子収納室１１ｂ，１１ｂを有した合成樹脂製のヒューズハウジング１１と、このヒューズハウジング１１の一対の端子収納室１１ｂ，１１ｂに収納される一対の接続端子１２，１２′と、この一対の接続端子１２，１２′の各先端部１２ｂにそれぞれ装着される中継端子１３と、これら一対の接続端子１２，１２′の各先端部１２ｂと各中継端子１３，１３との間に一対のヒューズ端子２１，２１が圧入されて電気的に接続されるヒューズ２０とを備えている。
【００１５】
図１〜図６に示すように、一対の接続端子１２，１２′は、矩形板状の各端子本体１２ａと、この各端子本体１２ａの一端において該各端子本体１２ａに対して直角に折り曲げ形成された先端部１２ｂと、各端子本体１２ａの他端において該各端子本体１２ａに対して直角に折り曲げ形成された一対のヒューズ出力端子（タブヒューズ端子）１２ｅ，１２ｅとを備えている。また、一対の接続端子１２，１２′の各先端部１２ｂの中央には矩形の係合孔１２ｃを形成してあると共に、該各先端部１２ｂの両側には上下各一対の鉤部１２ｄ，１２ｄをそれぞれ形成してある。
【００１６】
図１〜図５及び図７に示すように、各中継端子１３は、矩形板状の端子本体１３ａと、この端子本体１３ａの両側に略Ｃ字状に湾曲形成され、一対の接続端子１２，１２′の各先端部１２ｂに挿入されて挾持される両側部１３ｂ，１３ｂと、端子本体１３ａの下部、即ち、中継端子１３の反ヒューズ端子側端部にＶ字状に折り曲げ係止され、一対の接続端子１２，１２′の各先端部１２ｂの係合孔１２ｃに係止される係止爪１３ｃと、端子本体１３ａの上部に斜めに折り曲げ形成されたガイド片部１３ｄとを備えている。
【００１７】
以上実施形態のヒューズ保持装置１０によれば、一対の接続端子１２，１２′の各先端部１２ｂに矩形の係合孔１２ｃを形成すると共に、中継端子１３の下部に該係合孔１２ｃに係止される係止爪１３ｃを折り曲げ形成したことにより、一対の接続端子１２，１２′の各先端部１２ｂから各中継端子１３が外れるのを係合孔１２ｃに係止される係止爪１３ｃにより確実に防止することができる。これにより、ヒューズ２０の一対のヒューズ端子２１，２１を一対の接続端子１２，１２′の各先端部１２ｂと各中継端子１３の端子本体１３ａとの間に簡単に抜き差しして着脱することができる。
【００１８】
また、一対の接続端子１２，１２′の各先端部１２ｂに矩形の係合孔１２ｃを形成すると共に、中継端子１３の下部に該係合孔１２ｃに係止される係止爪１３ｃを折り曲げ形成する簡単な構造により、ヒューズ２０の一対のヒューズ端子２１，２１を一対の接続端子１２，１２′の各先端部１２ｂと各中継端子１３の端子本体１３ａとの間に抜き差しにより着脱する際に、一対の接続端子１２，１２′の各先端部１２ｂに各中継端子１３を確実に係止して両者の外れを確実に防止することができる。これにより、ヒューズ２０の着脱作業を簡単かつ確実に行うことができる。
【００１９】
尚、前記実施形態によれば、一対の接続端子の各先端部に係合孔を設けると共に、中継端子に該係合孔に係止される係止爪を設けたが、一対の接続端子の各先端部に係止爪を設けると共に、中継端子に該係止爪に係止される係合孔を設けても良い。
【図面の簡単な説明】
【００２０】
【図１】本発明の一実施形態の端子保持構造を適用したヒューズ保持装置の断面図である。
【図２】図１中Ｘ−Ｘ線に沿う断面図である。
【図３】上記端子保持構造の正面図である。
【図４】上記端子保持構造の斜視図である。
【図５】上記端子保持構造の側面図である。
【図６】上記端子保持構造に用いられる一方の接続端子の斜視図である。
【図７】上記端子保持構造に用いられる中継端子の斜視図である。
【図８】従来の端子保持構造を適用したヒューズ保持装置の断面図である。
【図９】上記従来の端子保持構造に用いられる接続端子と中継端子の分離状態を示す斜視図である。
【符号の説明】
【００２１】
１０  端子保持構造を適用したヒューズ保持装置
１２，１２′  一対の接続端子
１２ａ  端子本体
１２ｂ  先端部
１２ｃ  係合孔
１３  中継端子
１３ｂ，１３ｂ  両側部
１３ｃ  係止爪
２０  ヒューズ
２１，２１  一対のヒューズ端子
【図１】
2006210012.tif 000003
【図２】
2006210012.tif 000004
【図３】
2006210012.tif 000005
【図４】
2006210012.tif 000006
【図５】
2006210012.tif 000007
【図６】
2006210012.tif 000008
【図７】
2006210012.tif 000009
【図８】
2006210012.tif 000010
【図９】
2006210012.tif 000011